【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
（ａ１）飽和の又は不飽和の、直鎖の又は分岐されたＣ１４〜Ｃ３０アルキル鎖と、前記Ｃ１４〜Ｃ３０アルキル鎖の中心領域炭素に結合されている極性基とを含む中鎖ヘッド基界面活性剤、又は、
（ａ２）（ｉ）飽和の又は不飽和の、直鎖の又は分岐されたＣ１２〜Ｃ１８アルキル鎖、（ｉｉ）極性基、（ｉｉｉ）並びに前記極性基及び前記Ｃ１２〜Ｃ１８アルキル鎖の中心領域炭素に結合されているＣ１〜Ｃ２アルキレン基を含み、前記極性基を除いて、全部で１４〜１９の炭素を有しているアルキレン架橋界面活性剤と、
（ｂ）リパーゼとを含む、
冷水洗浄に有益な洗濯洗剤。
【請求項２】
直鎖アルキルベンゼンスルホン酸塩、脂肪族アルコール硫酸塩、脂肪族アルコールエーテル硫酸塩、及びこれらの混合物からなる群から選ばれるアニオン性界面活性剤をさらに含む、
請求項１に記載の洗剤。
【請求項３】
水をさらに含む、
請求項１に記載の洗剤。
【請求項４】
前記中鎖ヘッド基界面活性剤は、アルコール硫酸塩、アルコールエトキシレート、エーテル硫酸塩、スルホン酸塩、アリールスルホン酸塩、アルコールリン酸塩、アミンオキシド、クォーターニウム、ベタイン、スルホベタイン、及びこれらの混合物からなる群から選ばれる、
請求項１に記載の洗剤。
【請求項５】
前記中鎖ヘッド基界面活性剤は、アルコール硫酸塩である、
請求項４に記載の洗剤。
【請求項６】
前記中鎖ヘッド基界面活性剤は、７−テトラデカノール、６−テトラデカノール、５−テトラデカノール、８−ペンタデカノール、７−ペンタデカノール、６−ペンタデカノール、５−ペンタデカノール、８−ヘキサデカノール、７−ヘキサデカノール、６−ヘキサデカノール、９−セプタデカノール、８−セプタデカノール、７−セプタデカノール、６−セプタデカノール、９−オクタデカノール、８−オクタデカノール、７−オクタデカノール、１０−ノナデカノール、９−ノナデカノール、８−ノナデカノール、７−ノナデカノール、１０−エイコサノール、９−エイコサノール、８−エイコサノール、１１−ヘンエイコサノール、１０−ヘンエイコサノール、９−ヘンエイコサノール、８−ヘンエイコサノール、１１−ドコサノール、１０−ドコサノール、９−ドコサノール、１２−トリコサノール、１１−トリコサノール、１０−トリコサノール、９−トリコサノール、１２−テトラコサノール、１１−テトラコサノール、１０−テトラコサノール、９−テトラコサノール、１３−ペンタコサノール、１２−ペンタコサノール、１１−ペンタコサノール、１０−ペンタコサノール、１３−ヘキサコサノール、１２−ヘキサコサノール、１１−ヘキサコサノール、１４−ヘプタコサノール、１３−ヘプタコサノール、１２−ヘプタコサノール、１１−ヘプタコサノール、１４−オクタコサノール、１３−オクタコサノール、１２−オクタコサノール、１５−ノナコサノール、１４−ノナコサノール、１３−ノナコサノール、１２−ノナコサノール、１５−トリアコンタノール、１４−トリアコンタノール、及び１３−トリアコンタノールからなる群から選ばれる脂肪族アルコールの硫酸塩である、
請求項５に記載の洗剤。
【請求項７】
前記中鎖ヘッド基界面活性剤は、９−オクタデカノール又は８−ヘキサデカノールの硫酸塩である、
請求項６に記載の洗剤。
【請求項８】
前記中鎖ヘッド基界面活性剤は、スルホン酸塩である、
請求項４に記載の洗剤。
【請求項９】
前記中鎖ヘッド基界面活性剤は、７−テトラデセン、６−テトラデセン、５−テトラデセン、８−ペンタデセン、７−ペンタデセン、６−ペンタデセン、５−ペンタデセン、８−ヘキサデセン、７−ヘキサデセン、６−ヘキサデセン、９−セプタデセン、８−セプタデセン、７−セプタデセン、６−セプタデセン、９−オクタデセン、８−オクタデセン、７−オクタデセン、１０−ノナデセン、９−ノナデセン、８−ノナデセン、７−ノナデセン、１０−エイコセン、９−エイコセン、８−エイコセン、１１−ヘンエイコセン、１０−ヘンエイコセン、９−ヘンエイコセン、８−ヘンエイコセン、１１−ドコセン、１０−ドコセン、９−ドコセン、１２−トリコセン、１１−トリコセン、１０−トリコセン、９−トリコセン、１２−テトラコセン、１１−テトラコセン、１０−テトラコセン、１３−ペンタコセン、１２−ペンタコセン、１１−ペンタコセン、１０−ペンタコセン、１３−ヘキサコセン、１２−ヘキサコセン、１１−ヘキサコセン、１４−ヘプタコセン、１３−ヘプタコセン、１２−ヘプタコセン、１１−ヘプタコセン、１４−オクタコセン、１３−オクタコセン、１２−オクタコセン、１５−ノナコセン、１４−ノナコセン、１３−ノナコセン、１２−ノナコセン、１５−トリアコンテン、１４−トリアコンテン、及び１３−トリアコンテンからなる群から選ばれるオレフィンをスルホン化することによって調製される、
請求項８に記載の洗剤。
【請求項１０】
前記アルキレン架橋界面活性剤は、アルコール硫酸塩、アルコールアルコキシレート、エーテル硫酸塩、スルホン酸塩、アリールスルホン酸塩、アルコールリン酸塩、アミンオキシド、クォーターニウム、ベタイン、スルホベタイン、及びこれらの混合物からなる群から選ばれる、
請求項１に記載の洗剤。
【請求項１１】
前記アルキレン架橋界面活性剤の成分（ｉ）及び（ｉｉｉ）は共に、２−ヘキシル−１−オクチル、２−ペンチル−１−ノニル、２−ブチル−１−デシル、２−プロピル−１−ウンデシル、３−ペンチル−１−ノニル、３−ブチル−１−デシル、及び３−プロピル−１−ウンデシルからなる群から選ばれるＣ１４アルキル部位を含む、
請求項１に記載の洗剤。
【請求項１２】
前記アルキレン架橋界面活性剤の成分（ｉ）及び（ｉｉｉ）は共に、２−ヘキシル−１−ノニル、２−ペンチル−１−デシル、２−ブチル−１−ウンデシル、３−ヘキシル−１−ノニル、３−ペンチル−１−デシル、３−ブチル−１−ウンデシル、及び３−プロピル−１−ドデシルからなる群から選ばれるＣ１５アルキル部位を含む、
請求項１に記載の洗剤。
【請求項１３】
前記アルキレン架橋界面活性剤の成分（ｉ）及び（ｉｉｉ）は共に、２−ヘプチル−１−ノニル、２−ヘキシル−１−デシル、２−ペンチル−１−ウンデシル、２−ブチル−１−ドデシル、３−ヘキシル−１−デシル、３−ペンチル−１−ウンデシル、及び３−ブチル−１−ドデシルからなる群から選ばれるＣ１６アルキル部位を含む、
請求項１に記載の洗剤。
【請求項１４】
前記アルキレン架橋界面活性剤の成分（ｉ）及び（ｉｉｉ）は共に、２−ヘプチル−１−デシル、２−ヘキシル−１−ウンデシル、２−ペンチル−１−ドデシル、３−ヘプチル−１−デシル、３−ヘキシル−１−ウンデシル、３−ペンチル−１−ドデシル、及び３−ブチル−１−トリデシルからなる群から選ばれるＣ１７アルキル部位を含む、
請求項１に記載の洗剤。
【請求項１５】
前記アルキレン架橋界面活性剤の成分（ｉ）及び（ｉｉｉ）は共に、２−オクチル−１−デシル、２−ヘプチル−１−ウンデシル、２−ヘキシル−１−ドデシル、２−ペンチル−１−トリデシル、３−ヘプチル−１−ウンデシル、３−ヘキシル−１−ドデシル、及び３−ペンチル−１−トリデシルからなる群から選ばれるＣ１８アルキル部位を含む、
請求項１に記載の洗剤。
【請求項１６】
前記アルキレン架橋界面活性剤の成分（ｉ）及び（ｉｉｉ）は共に、２−オクチル−１−ウンデシル、２−ヘプチル−１−ドデシル、２−ヘキシル−１−トリデシル、３−オクチル−１−ウンデシル、３−ヘプチル−１−ドデシル、３−ヘキシル−１−トリデシル、及び３−ペンチル−１−テトラデシルからなる群から選ばれるＣ１９アルキル部位を含む、
請求項１に記載の洗剤。
【請求項１７】
前記アルキレン架橋界面活性剤は、アルコール硫酸塩、アルコールアルコキシレート、又はエーテル硫酸塩である、
請求項１０に記載の洗剤。
【請求項１８】
前記アルキレン架橋界面活性剤は、２−ヘキシル−１−オクタノール、２−ペンチル−１−ノナノール、２−ブチル−１−デカノール、２−プロピル−１−ウンデカノール、３−ペンチル−１−ノナノール、３−ブチル−１−デカノール、及び３−プロピル−１−ウンデカノールからなる群から選ばれるＣ１４脂肪族アルコールのアルコール硫酸塩、アルコールアルコキシレート、又はエーテル硫酸塩である、
請求項１７に記載の洗剤。
【請求項１９】
前記アルキレン架橋界面活性剤は、２−ヘキシル−１−ノナノール、２−ペンチル−１−デカノール、２−ブチル−１−ウンデカノール、３−ヘキシル−１−ノナノール、３−ペンチル−１−デカノール、３−ブチル−１−ウンデカノール、及び３−プロピル−１−ドデカノールからなる群から選ばれるＣ１５脂肪族アルコールのアルコール硫酸塩、アルコールアルコキシレート、又はエーテル硫酸塩である、
請求項１７に記載の洗剤。
【請求項２０】
前記アルキレン架橋界面活性剤は、２−ヘプチル−１−ノナノール、２−ヘキシル−１−デカノール、２−ペンチル−１−ウンデカノール、２−ブチル−１−ドデカノール、３−ヘキシル−１−デカノール、３−ペンチル−１−ウンデカノール、及び３−ブチル−１−ドデカノールからなる群から選ばれるＣ１６脂肪族アルコールのアルコール硫酸塩、アルコールエトキシレート、又はエーテル硫酸塩である、
請求項１７に記載の洗剤。
【請求項２１】
前記アルキレン架橋界面活性剤は、２−ヘプチル−１−デカノール、２−ヘキシル−１−ウンデカノール、２−ペンチル−１−ドデカノール、３−ヘプチル−１−デカノール、３−ヘキシル−１−ウンデカノール、３−ペンチル−１−ドデカノール、及び３−ブチル−１−トリデカノールからなる群から選ばれるＣ１７脂肪族アルコールのアルコール硫酸塩、アルコールアルコキシレート、又はエーテル硫酸塩である、
請求項１７に記載の洗剤。
【請求項２２】
前記アルキレン架橋界面活性剤は、２−オクチル−１−デカノール、２−ヘプチル−１−ウンデカノール、２−ヘキシル−１−ドデカノール、２−ペンチル−１−トリデカノール、３−ヘプチル−１−ウンデカノール、３−ヘキシル−１−ドデカノール、及び３−ペンチル−１−トリデカノールからなる群から選ばれるＣ１８脂肪族アルコールのアルコール硫酸塩、アルコールアルコキシレート、又はエーテル硫酸塩である、
請求項１７に記載の洗剤。
【請求項２３】
前記アルキレン架橋界面活性剤は、２−オクチル−１−ウンデカノール、２−ヘプチル−１−ドデカノール、２−ヘキシル−１−トリデカノール、３−オクチル−１−ウンデカノール、３−ヘプチル−１−ドデカノール、３−ヘキシル−１−トリデカノール、及び３−ペンチル−１−テトラデカノールからなる群から選ばれるＣ１９脂肪族アルコールのアルコール硫酸塩、アルコールアルコキシレート、又はエーテル硫酸塩である、
請求項１７に記載の洗剤。
【請求項２４】
前記アルキレン架橋界面活性剤は、２−ヘキシル−１−デシル硫酸塩、２−オクチル−１−デシル硫酸塩、２−ヘキシル−１−ドデシル硫酸塩、又はこれらの混合物である、
請求項１に記載の洗剤。
【請求項２５】
脂肪族アルコールエトキシレートをさらに含む、
請求項１に記載の洗剤。
【請求項２６】
１〜２０重量％の前記中鎖ヘッド基界面活性剤又はアルキレン架橋界面活性剤を含む、
請求項１に記載の洗剤。
【請求項２７】
請求項１に記載の前記洗剤を含む、液体、粉末、ペースト、顆粒、錠剤、成形固体、水溶性シート、水溶性小袋、又は水溶性ポッド。
【請求項２８】
水と、１〜２０重量％の前記中鎖ヘッド基界面活性剤又はアルキレン架橋界面活性剤と、５〜１５重量％の、直鎖アルキルベンゼンスルホン酸、脂肪族アルコール硫酸塩、脂肪族アルコールエーテル硫酸塩、及びこれらの混合物からなる群から選ばれるアニオン性界面活性剤と、５〜１５重量％の脂肪族アルコールエトキシレートとを含む、
請求項１に記載の洗剤。
【請求項２９】
５〜９５重量％の請求項１に記載の洗剤と、
０重量％〜５０重量％の少なくとも１種の非イオン性界面活性剤と、
０重量％〜２５重量％の少なくとも１種のアルコールエーテル硫酸塩と、
十分量の、セルラーゼ、ヘミセルラーゼ、ペルオキシダーゼ、プロテアーゼ、グルコアミラーゼ、アミラーゼ、クチナーゼ、ぺクチナーゼ、キシラナーゼ、レダクターゼ、オキシダーゼ、フェノールオキシダーゼ、リポキシゲナーゼ、リグニナーゼ、プルラナーゼ、タナーゼ、ペントサナーゼ、マラナーゼ、β−グルカナーゼ、アラビノシダーゼ、及びこれらの誘導体からなる群から選ばれる少なくとも２種の酵素と、を含み、
ｐＨの範囲が７〜１０である、
洗濯洗剤組成物。
【請求項３０】
５〜９５重量％の請求項１に記載の洗剤と、
０重量％〜５０重量％の少なくとも１種の非イオン性界面活性剤と、
０重量％〜２５重量％の少なくとも１種のアルコールエーテル硫酸塩と、
十分量の、セルラーゼ、ヘミセルラーゼ、ペルオキシダーゼ、プロテアーゼ、グルコアミラーゼ、アミラーゼ、クチナーゼ、ぺクチナーゼ、キシラナーゼ、レダクターゼ、オキシダーゼ、フェノールオキシダーゼ、リポキシゲナーゼ、リグニナーゼ、プルラナーゼ、タナーゼ、ペントサナーゼ、マラナーゼ、β−グルカナーゼ、アラビノシダーゼ、及びこれらの誘導体からなる群から選ばれる酵素と、を含み、
ｐＨの範囲が７〜１０である、
洗濯洗剤組成物。
【請求項３１】
５〜９５重量％の請求項１に記載の洗剤と、
０重量％〜５０重量％の少なくとも１種の非イオン性界面活性剤と、
０重量％〜２５重量％の少なくとも１種のアルコールエーテル硫酸塩と、を含み、
ｐＨの範囲が７〜１２であり、前記リパーゼを除いて、実質的に酵素を含まない、
洗濯洗剤組成物。
【請求項３２】
５〜９５重量％の請求項１に記載の洗剤と、
４重量％〜５０重量％の少なくとも１種のＣ１６α−メチルエステルスルホン酸塩と、
０重量％〜２５重量％のコカミドジエタノールアミンと、を含み、
ｐＨの範囲が７〜１２である、
洗濯洗剤組成物。
【請求項３３】
５〜９５重量％の請求項１に記載の洗剤と、
０重量％〜５０重量％の少なくとも１種の非イオン性界面活性剤と、
０重量％〜２５重量％の少なくとも１種のアルコールエーテル硫酸塩と、
０．１重量％〜５重量％のメタケイ酸塩と、を含み、
ｐＨが１０よりも大きい、
洗濯洗剤組成物。
【請求項３４】
５〜９５重量％の請求項１に記載の洗剤と、
０重量％〜５０重量％の少なくとも１種の非イオン性界面活性剤と、
０重量％〜２５重量％の少なくとも１種のアルコールエーテル硫酸塩と、
０．１重量％〜２０重量％の炭酸ナトリウムと、を含み、
ｐＨが１０よりも大きい、
洗濯洗剤組成物。
【請求項３５】
２〜９５重量％の請求項１に記載の洗剤と、
２重量％〜４０重量％の少なくとも１種の非イオン性界面活性剤と、
０重量％〜３２重量％の少なくとも１種のアルコールエーテル硫酸塩と、
０重量％〜２５重量％の少なくとも１種のＣ１６α−メチルエステルスルホン酸塩と、
０重量％〜６重量％のラウリルジメチルアミンオキシドと、
０重量％〜６重量％のＣ１２ＥＯ３と、
０重量％〜１０重量％のココナッツ脂肪酸と、
０重量％〜３重量％のホウ酸五水和物と、
０重量％〜６重量％のプロピレングリコールと、
０重量％〜１０重量％のクエン酸ナトリウムと、
０重量％〜６重量％のトリエタノールアミンと、
０重量％〜６重量％のモノエタノールアミンと、
０重量％〜１重量％の少なくとも１種の蛍光性白色化剤と、
０重量％〜１．５重量％の少なくとも１種の再付着防止剤と、
０重量％〜２重量％の少なくとも１種の増粘剤と、
０重量％〜２重量％の少なくとも１種の希釈剤と、
０重量％〜２重量％の少なくとも１種のプロテアーゼと、
０重量％〜２重量％の少なくとも１種のアミラーゼと、
０重量％〜２重量％の少なくとも１種のセルラーゼと、を含む、
洗濯洗剤組成物。
【請求項３６】
２〜９５重量％の請求項１に記載の洗剤と、
２重量％〜４０重量％の少なくとも１種の非イオン性界面活性剤と、
０重量％〜３２重量％の少なくとも１種のアルコールエーテル硫酸塩と、
０重量％〜６重量％のラウリルジメチルアミンオキシドと、
０重量％〜６重量％のＣ１２ＥＯ３と、
０重量％〜１０重量％のココナッツ脂肪酸と、
０重量％〜１０重量％のメタケイ酸ナトリウムと、
０重量％〜１０重量％の炭酸ナトリウムと、
０重量％〜１重量％の少なくとも１種の蛍光性白色化剤と、
０重量％〜１．５重量％の少なくとも１種の再付着防止剤と、
０重量％〜２重量％の少なくとも１種の増粘剤と、
０重量％〜２重量％の少なくとも１種の希釈剤と、を含む、
洗濯洗剤組成物。
【請求項３７】
２〜９５重量％の請求項１に記載の洗剤と、
０重量％〜３０重量％の少なくとも１種のＣ１６メチルエステルスルホン酸塩と、
０重量％〜３０重量％の少なくとも１種のＣ１２メチルエステルスルホン酸塩と、
０重量％〜３０重量％のラウリル硫酸ナトリウムと、
０重量％〜３０重量％のステアロイル乳酸ナトリウムと、
０重量％〜３０重量％のラウロイル乳酸ナトリウムと、
０重量％〜６０重量％のアルキルポリグルコシドと、
０重量％〜６０重量％のポリグリセロールモノアルキレートと、
０重量％〜３０重量％のラクチリル乳酸ラウリルと、
０重量％〜３０重量％のサポニンと、
０重量％〜３０重量％のラムノ脂質と、
０重量％〜３０重量％のスフィンゴ脂質と、
０重量％〜３０重量％の糖脂質と、
０重量％〜３０重量％の少なくとも１種のアビエチン酸誘導体と、
０重量％〜３０重量％の少なくとも１種のポリペプチドと、を含む、
環境に優しい洗濯洗剤組成物。
【請求項３８】
洗浄された布地品を得るために、請求項１に記載の前記洗剤の存在下で、３０℃未満の温度の水中で汚れた布地品を洗濯するステップを含む方法。
【請求項３９】
前記洗剤が分岐された中鎖界面活性剤又はアルキレン架橋界面活性剤を含む点では同じであるが、前記リパーゼを含まない同様の方法で提供される汚れ除去指数と比べて、少なくとも脂汚れについて、同一洗浄温度での少なくとも２．０単位の汚れ除去指数の改善を提供する、
請求項３８に記載の方法。
【請求項４０】
前記水の温度は、５℃〜２５℃の範囲である、
請求項３８に記載の方法。
【請求項４１】
前記洗濯するステップは、機械洗浄又は手洗浄のための事前染み抜きまたは事前浸漬として前記洗剤を使用することを含む、
請求項３８に記載の方法。
【請求項４２】
前記洗濯するステップは、洗濯用品又は洗濯配合物の脂質低減性能又は前記脂質除去性能を改善するための添加成分又は推進成分として前記洗剤を使用することを含む、
請求項３８に記載の方法。